(57)【要約】【課題】    装着しやすく、かつヨレやズレを確実に防止することができる脇用汗取りシートを提供する。【解決手段】    表面側において汗を吸収するシート本体と、該シート本体の裏面側に設けられた粘着剤層とを備える脇用の汗取りシートであって、  前記シート本体は、可撓性を有し、袖側領域及び身頃領域に分割されており、  前記粘着剤層は、前記袖側領域において、間隔を空けて配置された複数の第１粘着部を備える脇用汗取りシート。【選択図】  図１
2007063717.tif 000002
【特許請求の範囲】
【請求項１】
表面側において汗を吸収するシート本体と、該シート本体の裏面側に設けられた粘着剤層とを備える脇用の汗取りシートであって、
前記シート本体は、可撓性を有し、袖側領域及び身頃領域に分割されており、
前記粘着剤層は、前記袖側領域において、間隔を空けて配置された複数の第１粘着部を備える脇用汗取りシート。
【請求項２】
隣接する前記第１粘着部同士の最小間隔は、３〜２５ｍｍである請求項１に記載の脇用汗取りシート。
【請求項３】
前記袖側領域の外縁から前記第１粘着部までの最短距離は、３〜２０ｍｍである請求項１又は２に記載の脇用汗取りシート。
【請求項４】
前記第１粘着部の面積は、それぞれ１５〜２５００ｍｍ２である請求項１から３のいずれかに記載の脇用汗取りシート。
【請求項５】
前記粘着剤層は、前記身頃側領域に形成された第２粘着部を更に備える請求項１から４のいずれかに記載の脇用汗取りシート。
【請求項６】
前記第２粘着部は、間隔を空けて複数配置されている請求項５に記載の脇用汗取りシート。
【発明の詳細な説明】
【技術分野】
【０００１】
本発明は、脇部の汗を吸収するための脇用汗取りシートに関する。
【背景技術】
【０００２】
衣服の汗染み防止や汗による不快感の緩和のため、脇部など汗をかきやすい箇所に接触させて汗を吸収する汗取りシートが従来から知られている。
【０００３】
汗取りシートを人体に装着するための構成として、例えば、特許文献１には、下着の肩紐に係合させる弾性ストラップが開示されており、特許文献２には、衣服などの内面に貼着するための感圧性接着剤が開示されている。
【０００４】
ところが、特許文献１に開示された構成は、弾性ストラップが人体に接触すると共に弾性ストラップに係合した肩紐が引っ張られるため、装着時に違和感が生じるという問題や、ストラップによる係合のため装着し難いといった問題があった。
【０００５】
また、特許文献２に開示された構成は、感圧性接着剤が汗取りシートの全面に貼着されているため、衣服の伸びが拘束されて突っ張り感が生じたり、装着し難いという問題があり、更には、衣服の伸縮や変形等に汗取りシートが追随することができず汗取りシートにズレやヨレが生じるといった問題があった。
【特許文献１】実用新案登録第３１００９８１号公報
【特許文献２】特開２００２−２２４１５８号公報
【発明の開示】
【発明が解決しようとする課題】
【０００６】
そこで、本発明は、装着しやすく、かつヨレやズレを確実に防止することができる脇用汗取りシートの提供を目的とする。
【課題を解決するための手段】
【０００７】
本発明の前記目的は、表面側において汗を吸収するシート本体と、該シート本体の裏面側に設けられた粘着剤層とを備える脇用の汗取りシートであって、  前記シート本体は、可撓性を有し、袖側領域及び身頃領域に分割されており、前記粘着剤層は、前記袖側領域において、間隔を空けて配置された複数の第１粘着部を備える脇用汗取りシートにより達成される。
【０００８】
この脇用汗取りシートにおいて、隣接する前記第１粘着部同士の最小間隔は、３〜２５ｍｍであることが好ましい。
【０００９】
また、前記袖側領域の外縁から前記第１粘着部までの最短距離は、３〜２０ｍｍであることが好ましい。
【００１０】
また、前記第１粘着部の面積は、それぞれ１５〜２５００ｍｍ２であることが好ましい。
【００１１】
前記粘着剤層は、前記身頃側領域に形成された第２粘着部を更に備えることが好ましい。この場合、前記第２粘着部は、間隔を空けて複数配置されていることがより好ましい。
【発明の効果】
【００１２】
本発明によれば、装着しやすく、かつヨレやズレを確実に防止することができる脇用汗取りシートを提供することができる。
【発明を実施するための最良の形態】
【００１３】
以下、本発明の実施の形態について添付図面を参照して説明する。図１は、本発明の一実施形態に係る脇用汗取りシートの裏面図であり、図２は、図１のＡ−Ａ断面図である。
【００１４】
図１及び図２に示すように、汗取りシート１は、可撓性を有するシート本体１０と、シート本体１０の裏面側に設けられた粘着剤層２０とを備えている。シート本体１０は、表面層１２と裏面層１４との間に吸収層１６が挟持されて構成されている。
【００１５】
吸収層１６は、吸水性を有するものであればとくに制限はなく、一般に生理用ナプキン、おしめ、汗取りパットおよびおりものシートなどに用いられている、たとえば吸水性パルプ、吸水性ポリマーなどの公知の吸収材や、織物、編物、不織布またはパルプ製品などから構成される繊維構造物を用いることができる。なかでも、風合い（肌触り）がよく、吸収性に優れ、かつ吸収層からの素材の脱落が少ない点から、天然繊維および合成繊維からなる集積体（例えば不織布）を用いることが好ましい。天然繊維としては、コットン、シルク、パルプ、羊毛、麻などがあげられる。このような天然繊維のなかでも、アレルギーなどの接触性皮膚炎が起こりにくく、かぶれにくく、かつ吸収性に優れる点から、（タンパク質系成分でない）コットンやパルプなどのセルロース系繊維が好ましい。また、合成繊維としては、ナイロン繊維、ポリエチレン繊維、ポリエステル繊維、ポリアミド繊維、アクリル繊維、ポリビニルアルコール繊維、ポリプロピレン繊維、ポリエチレンテレフタレート繊維、エチレン酢酸ビニル繊維、ウレタン繊維、アクリル繊維などがあげられる。また、レーヨン繊維、アセテート繊維、キュプラ等の半合成繊維、および各種繊維の混紡品、混繊品を使用することもできる。なかでも、ドライ感、風合いおよびヒートシール性の点から、エチレン酢酸ビニル繊維、ポリプロピレン繊維、ポリエチレン繊維、ポリエステル繊維、ポリエチレンテレフタレート繊維などの合成繊維またはそれらの複合繊維が好ましい。複合繊維としては、ポリエチレン／ポリエステル（ポリエチレンテレフタレートを含む）複合繊維、ポリエチレン／ポリプロピレン複合繊維、エチレン酢酸ビニル／ポリプロピレン複合繊維などがあげられ、弾性復帰機能（反発性）に優れる点から、ポリエチレン／ポリプロピレン複合繊維がより好ましい。さらに、ポリエチレン／ポリプロピレン複合繊維として、ポリプロピレン繊維からなる芯の外周をポリエチレンにより包皮したものを用いると、芯のポリプロピレン繊維が使用時に優れた弾性復帰機能（反発性）を発揮することができる点でさらに好ましい。
【００１６】
また、ヨレ・ズレや折れに対する抵抗性および吸収性に優れた吸収層とすることができる点から、集積体としては、天然繊維と合成繊維とを重量比で３：７〜７：３の割合で配合することが好ましく、吸収性に優れ、吸収層からの天然繊維の脱落を防ぐことができ、かつ肌触りがフンワリとして使用感に優れる点から天然繊維と合成繊維とを重量比で４：６〜６：４の割合で配合するのがより好ましい。
【００１７】
さらに、この天然繊維および合成繊維を混合し、得られた混合物を合成繊維の軟化点よりも１０〜５０℃高い温度、好ましくは２０〜４０℃高い温度（たとえば、合成繊維としてポリエチレン／ポリプロピレン複合繊維を使用した場合は、１２０〜１６０℃が好ましく、１３０〜１５０℃がより好ましい）で加熱処理すると、合成繊維が適度に溶融して天然繊維と絡み合い、さらに優れた吸収性、これまで以上にフンワリとした風合い（肌触り）で、かつ天然繊維の脱落のない吸収層とすることができるのでとくに好ましい。また、合成繊維の太さが１．０〜５．０デシテックスであることが好ましく、２．０〜３．５デシテックスであることがより好ましい。合成繊維の太さが１．０デシテックス未満であれば、天然繊維と満足に絡み合うことができずに、吸収層から天然繊維が脱落しやすくなる傾向がある。また、５．０デシテックスをこえると、得られる吸収層が硬くなり、ごわつき、装着性の点で劣る傾向がある。
【００１８】
吸収層１６を構成する前記集積体の目付けは、保水量と皮膚への違和感とのバランスの点から、２０〜１５０ｇ／ｍ２に設定するのが好ましく、４０〜１２０ｇ／ｍ２に設定するのがより好ましい。
【００１９】
また、表面層１２は、肌にやわらかく接触し、かつ柔軟な吸収層１６を保護する役割を果たす。このような表面層１２としては、織物、編物、不織布またはパルプ製品などから構成されるシート状またはフィルム状の繊維構造物をあげることができる。なかでも、風合い（肌触り）や皮膚への刺激性、吸収性の点から不織布が好ましい。かかる繊維構造物を構成する繊維としては、天然繊維および合成繊維があげられ、これらを単独で、または組み合わせて所望の性質を有する繊維構造物として使用することができる。天然繊維および合成繊維としては、前記吸収層１６の原料として用いるものと同一の繊維があげられる。これらの繊維構造物は、その形状をとくに限定するものではないが、メッシュ状および／またはエンボス模様になっていると、肌への接触面積が減少し、着用時の密着感が軽減されるという点や汗などの体液の通液性が向上し、少ない体液でも吸収層１６に到達しやすくなるという点から好ましい。なお、エンボス加工は、加工された表面材の凹部の窪み端部が開口するように行うことが好ましい。また、前記メッシュ状および／または浮き出し模様としない場合には、肌への摩擦力が軽減し、痒みやかぶれが生じにくくなる点で好ましい。
【００２０】
不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法、エアレイド法などの方法により製造することができる。なかでもスパンレース法、サーマルボンド法、エアースルー法、エアレイド法、ニードルパンチ法、スパンボンド法などの方法が好ましく、これらの方法では風合いがよくかつ、接着剤、溶剤を用いないため、肌への安全性を高くすることができる。
【００２１】
さらに前記繊維構造物は撥水処理されていることが好ましい。撥水処理は繊維構造物の片面だけに施すことも可能であるが、対象とする体液が少量の場合は、両面にわたって撥水処理されていることが好ましい。両面撥水処理によれば、表面材の繊維内部への体液の浸透および体液の横にじみを防ぐことができ、その結果、少量の体液を表面材（繊維構造物）の孔を通じて効率よく吸収層に到達させることができる。すなわち、かかる両面撥水処理を施した表面材を備えた本発明の吸収シートによれば、体液が少量の場合でも速やかな吸収を可能にすることができる。なお、撥水処理は、シート状の繊維構造物（表面材）を調製後、該構造物の両面に撥水処理を施す方法によっても、また繊維を予め撥水処理し、該繊維をシート状もしくはフィルム状に調製する方法のいずれを採用してもよい。
【００２２】
撥水処理方法はとくに限定されず、通常の方法を広く採用することができる。具体的には、シリコンオイル、フッ素樹脂、メチルハイドロジェンポリシロキサンなどの撥水性処理剤またはこれらの成分を含む油剤を用いる方法があげられるが、好ましくはシリコンオイル、フッ素樹脂、メチルハイドロジェンポリシロキサンなどを含む撥水性処理剤を用いて繊維を加工する方法である。
【００２３】
また、表面層１２に用いられる前記繊維構造物の目付けは、体液透過性と皮膚への違和感の軽減とのバランスの点から、１０〜６０ｇ／ｍ２に設定することが好ましく、２０〜５０ｇ／ｍ２に設定することがより好ましい。
【００２４】
表面層１２と吸収層１６とを貼り合わせる方法はとくに限定されないが、水溶性の接着剤（たとえば、アクリル系水溶性接着剤）や非水溶性接着剤（たとえば、ゴム系ホットメルト、オレフィン系ホットメルト）などの接着剤により接着することができる。
【００２５】
また、裏面層１４は、吸収層１６に吸収された汗の外部への流出を防止するものである。裏面層１４の材質は、ポリエチレンを用いることが好ましいが、必要に応じて適当な材質、たとえば、ポリエステル、ポリビニルアルコール、ポリプロピレン、ナイロン、セロファン、ビニロン、塩化ビニルなどを用いることもできる。また、これらの材質に炭酸カルシウム粉末などの無機物を混練した後に２軸延伸すると、汗などの体液は透過させずに水蒸気（空気）は透過させることができるので、ムレなどによる不快感を軽減させることができ、また、炭酸カルシウムなどの無機物を用いない場合において１軸延伸すると、多量の汗をかいた場合でも衣類への汗じみを確実に防ぐことができるので、それぞれ、使用状況に応じて使い分けることが好ましい。
【００２６】
さらに、裏面層１４の厚みとしては、吸収した体液を透過させず、かつ装着時に違和感を覚えにくいという点から、１０〜５０μｍに設定することが好ましい。
【００２７】
シート本体１０は、必ずしも上記の構成に限定されず、例えば、吸収層１６と表面層１２との間、及び、吸収層１６と裏面層１４との間における一方又は双方に、消臭剤を含む層を介在させてもよい。また、シート本体１０は、吸収層１６を備えていればよく、表面層１２及び裏面層１４の一方又は双方を設けずに構成することも可能である。
【００２８】
粘着剤層２０の材質は、衣服などに貼ることができるものであればとくに限定されないが、たとえば、水溶性の接着剤（例えばアクリル系水溶性接着剤）や非水溶性接着剤（例えばゴム系ホットメルト、オレフィン系ホットメルト）などの接着剤があげられる。なかでも、その他の粘着剤に比べて衣服に対する接着力に優れる点から非水溶性接着剤が好ましく、ゴム系ホットメルトがより好ましい。ゴム系ホットメルトを使用すると、接着部位になじみやすいので、衣服の伸びを拘束することがない(突っ張り感を軽減できる)。そのため、各粘着部間に遊びを設けた本発明においては、このようなゴム系ホットメルトの性質との相乗効果によって、衣服からの脱落やヨレ・ズレを効果的に減らすことができる。
【００２９】
また、粘着剤層２０の粘着強度は実用に耐え得る強度、すなわちピール力としては８０ｇｆ以上が好ましく、８０〜３００ｇｆがより好ましく、１００〜２５０ｇｆがさらに好ましい。ピール力が８０ｇｆ未満だと、接着強度が弱く、脇用汗取りシートがヨレ・ズレや衣類から脱落しやすい傾向がある。なお、ピール力が３００ｇｆを超えると、衣類への糊残りを生じる傾向がある。
【００３０】
好ましいピール力は、シート本体１０を袖側領域及び身頃領域に分割し、分割した部分の粘着剤部分を全て含むようにして切り出し作成した試験片と、ＪＩＳ染色堅牢度試験用  添付白布綿（かなきん３号）とを貼りあわせた綿布を、引っ張り試験機による１８０度はく離試験により測定する。詳細には試験片の粘着剤部分とＪＩＳ染色堅牢度試験用  添付白布綿（かなきん３号）とを貼りあわせた後、３５ｇ／ｍ２の負荷を３０秒加え、負荷を取り除き、温度３５℃〜４０℃・湿度７５％の環境下で１時間〜２時間・温度２０℃・湿度５０％の環境下でさらに３０分放置する。さらに前記試験片の一部をわずかに剥がし、引っ張り試験機（島津製作所  ＡＧＳ−Ｈ）にて３００ｍｍ／分の速さで引っ張った時の測定値を凸点平均にて処理して判断する。
【００３１】
袖側領域及び身頃側領域の粘着剤部分が６０ｍｍ×１２０ｍｍのＪＩＳ染色堅牢度試験用  添付白布綿（かなきん３号）に収まる場合は、６０ｍｍ×１２０ｍｍのＪＩＳ染色堅牢度試験用  添付白布綿（かなきん３号）を用い、試験片幅６０ｍｍ、剥離方向１２０ｍｍにて、１８０度剥離によるピール力を測定する。
【００３２】
粘着剤部分が６０ｍｍ×１２０ｍｍの試験片の面積を超える場合は、粘着剤部分をカバーできる大きさのＪＩＳ染色堅牢度試験用  添付白布綿（かなきん３号）を用いて試験を行う。その際の試験片幅（試験片幅ｗ）は、粘着剤部分をカバーできる大きさのＪＩＳ染色堅牢度試験用  添付白布綿（かなきん３号）の幅として上記試験方法にて測定する。測定値は、試験片幅ｗにて測定した実測値ｓを下記の処理を行った測定値ｍを測定値とする。
※粘着剤部分が６０ｍｍ×１２０ｍｍの試験片に収まらない場合
測定値ｍ＝実測値ｓ×試験片の幅ｗ／６０ｍｍ
本実施形態の脇用汗取りシートは、図１に示すように、シート本体１０が滑らかな曲線状に形成された外縁を有し、くびれ部分を結ぶ直線を介して袖側領域４と身頃側領域６とに分割されている。ここで、袖側領域４と身頃側領域６は、本実施形態においてくびれ部分を結ぶ直線上に形成された溝部（境界線）２によって分割されているが、その境界は、装着時に曲げ変形を与えた際に自然に折れ曲がる部分など、必ずしも外観上明瞭である必要はなく、それぞれ袖側および身頃側に装着することを意図した領域をいう。
【００３３】
粘着剤層２０は、袖側領域４において間隔を空けて配置された複数の第１粘着部２０ａと、身頃側領域６において間隔を空けて配置された複数の第２粘着部２０ｂとを備えており、袖側領域４及び身頃側領域６の裏面側を覆う剥離紙（図示せず）により覆われている。
【００３４】
第１粘着部２０ａ及び第２粘着部２０ｂの形状は、本実施形態においては矩形状としているが、その他に、ドット状、円状、三角状、正方形状、棒状、渦巻き状など種々の形状とすることが可能である。また、第１粘着部２０ａ及び第２粘着部２０ｂの配置は、袖側領域と身頃側領域の境界線２に対して直交方向に延びる中心線に対して左右対称であることが好ましいが、必ずしもこれに限定されない。
【００３５】
以上の構成を備える脇用汗取りシートは、粘着層２０を覆う剥離紙（図示せず）を剥がして、袖側領域と身頃側領域の境界線２で折り曲げながら第１粘着部２０ａ及び第２粘着部２０ｂをそれぞれ衣服の袖及び身頃の内面に貼着することにより、衣服を着用した状態で、シート本体１０の表面側が脇全体を覆うように接触する。
【００３６】
本実施形態の脇用汗取りシートは、袖側領域４において、第１粘着部２０ａ及び第２粘着部２０ｂが間隔を空けて複数配置されているので、種々の動きにより衣服が伸縮や変形した場合に、この間隔に対応するシート本体１０の非粘着部分が自由に変形することができる。この結果、汗取りシートを装着したことに伴う衣服の拘束力が緩和されると共に、衣服の突っ張り感や、汗取りシートのズレ・ヨレを防止することができる。また、間隔を設けることで、粘着部間に遊びの部分ができるので、粘着部同士が接着する可能性や粘着部に指が付着する可能性を低くすることができ、衣服に汗取りシートを装着しやすくなる。
【００３７】
袖側領域４において、複数の第１粘着部２０ａ同士の最小間隔（最も接近した箇所同士の直線距離）が短くなると、粘着部間の遊びの部分が少なくなって、ヨレ・ズレや脱落が生じやすくなる一方、この最小間隔が長すぎると、非粘着部分（遊びの部分）が多くなりすぎてヨレやズレの原因となることから、３〜２５ｍｍが好ましく、５〜１５ｍｍがさらに好ましい。上記最小間隔の好ましい数値範囲は、第２粘着部２０ｂについても同様である。
【００３８】
また、袖側領域４の外縁から各第１粘着部２０ａまでの最短距離は、短かすぎると、粘着層２０からの剥離紙を剥離しにくく、また、指が第１粘着部２０ａに付着し易くなるため、汗取りシート１を装着しにくくなる一方、長すぎる、すなわち、外縁から粘着層２０までの非粘着部分（遊びの部分）が多くなると、粘着層が追随できる程度の衣服や体の動きに対しても追随できなくなり、ヨレやズレが生じたり、さらには汗取りシートが脱落しやすくなる傾向があることから、３〜２０ｍｍが好ましく、５〜１５ｍｍがより好ましい。袖側領域４の外縁とは、袖側領域と身頃側領域の境界線２を除く袖側領域４の画定線である。上記最短距離の好ましい数値範囲は、第２粘着部２０ｂについても同様である。
【００３９】
また、各第１粘着部２０ａの面積は、小さすぎると、装着する際に使用者が注意深く汗取りシートを衣服に貼着する必要があり、さらに粘着力が十分得られないために装着した汗取りシート１が脱落し易くなる一方、大きすぎると、衣服の伸縮や変形が拘束される部分が大きくなって装着しにくくなることから、１５〜２５００ｍｍ２が好ましく、３００〜２０００ｍｍ２がより好ましい。上記面積の好ましい数値範囲は、第２粘着部２０ｂについても同様である。
【００４０】
本発明においては、汗取りシートの形状はとくに限定されず、四角状、円状、略だ円状、だ円状、瓢箪状などいずれの形状であってもよいが、なかでも、装着のし易さ、及び、ヨレ・ズレや脱落防止の点から瓢箪状が好ましい。
【００４１】
また、本発明においては、汗取りシートの面積は脇部に装着できれば、とくに限定されないが、４０〜２７０ｃｍ２が好ましく、５５〜１９０ｃｍ２がより好ましく、７０〜１７０ｃｍ２がさらに好ましい。
【００４２】
また、袖側領域の面積は、１０ｃｍ2〜１２０ｃｍ2が好ましく、１５ｃｍ2〜９０ｃｍ2がより好ましく、２０ｃｍ2〜８０ｃｍ2がさらに好ましい。身頃側領域の面積は３０ｃｍ2〜１５０ｃｍ2が好ましく、４０ｃｍ2〜１００ｃｍ2がより好ましく、５０ｃｍ2〜９０ｃｍ2がさらに好ましい。
【００４３】
以上、本発明の一実施形態について説明したが、後述する実施例に示すように、第２粘着部２０ｂについては、必ずしも複数設ける必要はなく、単一であってもよい。更に、第２粘着部２０ｂを全く設けない場合であっても、汗取りシート１の身頃側領域６は、第１粘着部２０ａが衣服に貼着されることで下端が自由端となるように垂下するため、汗取りシート１の快適な装着を可能にしつつ脱落を防止することができる。
【００４４】
また、本実施形態の汗取りシートは、シート本体１０の周縁部に熱圧着したシール部分を設けるなど、シート本体１０の頂上部と周縁部の厚みに差を持たせることで、シート本体の脇部に接触する面積を少なくできるので、シート本体と脇部の摩擦などにより生じる違和感を軽減することができる。
【００４５】
さらに、表面層１２および／または吸収体１６に香料を含浸させ、香料の香りにより汗の臭気をマスキングする機能並びにメントール等の冷感成分を含浸させて使用者に冷感を与えることで快適性を向上させる機能などを付加してもよい。
【００４６】
また、本実施形態の汗取りシートは、脇部の汗取り用として特に好適であるが、背中部、首部、股部などの汗取り用として、衣服内面の対応する箇所に貼着して使用することも可能である。
【実施例】
【００４７】
以下、実施例及び比較例を用いて、本発明を更に詳細に説明する。
【００４８】
上記実施形態に示す３層構造（表面層、吸収層及び裏面層）のシート本体１０を共通にして、粘着剤層２０の配置を変えた１８個の実施例サンプル（実施例１〜１８）及び３個の比較例サンプル（比較例１〜３）を作成し、脇部に装着したときの官能評価を行った。
【００４９】
評価は、体型が異なる３名の女性に対して行い、「装着のし易さ」及び「使用中のヨレ・ズレ」の各項目に対する５段階評価（１〜５点）の３名の平均値（端数は四捨五入）を合計して、総合評価を行った。
【００５０】
実施例及び比較例の構成及び評価結果を、それぞれ表１及び表２に示す。ここで、比較例３の粘着剤は１ブロックだが、袖側・身頃側各領域にまたがって存在するため、１ブロックの粘着剤面積を１／２倍したものを記載した。
実施例１〜１８の構成は、図３（ａ）〜（ｒ）にそれぞれ対応し、比較例１〜３の構成は、図４（ａ）〜（ｃ）にそれぞれ対応しており、塗りつぶされた領域が粘着剤に対応している。
【００５１】
図３及び図４におけるシート本体１０の大きさは、矩形状のものが１２５ｍｍ×１２５ｍｍであり、瓢箪状のものは、実施例１１、１２及び１６が、９７ｍｍ×９６ｍｍである。
【００５２】
【表１】
2007063717.tif 000003
【００５３】
【表２】
2007063717.tif 000004
本実施例から明らかなように、粘着剤層が、袖側領域において間隔を空けて配置された複数の第１粘着部を備える構成とすることにより、装着しやすく、かつヨレやズレを確実に防止できることが分かる。
【００５４】
また、隣接する粘着部同士の最小間隔、袖側領域の外縁から第１粘着部までの最短距離、第１粘着部の面積を、それぞれ好ましい範囲に規定し、身頃側領域に第２粘着部を形成することで、上記効果に加えて、脱落防止を確実にする効果が得られている。具体的には以下のとおりである。
【００５５】
実施例１は、各第１粘着部２０ａの面積が１５ｍｍ２であり、第１粘着部２０ａの面積が１０ｍｍ２の実施例１７と比較して、装着のしやすさの点で優れていた。
【００５６】
実施例２は、袖側領域において第１粘着部２０ａを複数配置しているため、粘着部が単一である比較例１に比べて装着しやすく、ヨレ・ズレが生じにくかった。
【００５７】
また、実施例３は、第１粘着部２０ａの面積を２４００ｍｍ２とすることにより、第１粘着部２０ａの面積が２７００ｍｍ２である実施例１８に比べて、良好な装着性が得られた。
【００５８】
実施例４〜１０は、実施例２の第１粘着部２０ａに加えて、第２粘着部２０ｂを追加したものである。
【００５９】
実施例４は、第２粘着部２０ｂを１つ設けたものであり、実施例５は、２つの第２粘着部２０ｂを設けたものであり、実施例６は、面積が１５ｍｍ２の小さい第２粘着部２０ｂを多数設けたものである。いずれの場合も、第１粘着部２０ａ及び第２粘着部２０ｂがそれぞれ１つである比較例２に比べて、装着しやすさ及びヨレ・ズレについて、良好な結果が得られた。
【００６０】
実施例７は、面積が２７００ｍｍ２の第２粘着部２０ｂを設けたものであり、装着のしやすさで実施例４に劣るものの、総合的には良好であった。
【００６１】
実施例８は、実施例５において、隣接する第１粘着部２０ａ同士及び第２粘着部２０ｂ同士の間隔を１ｍｍに狭めたものであり、装着のしやすさ、ヨレ・ズレの点で実施例５に劣るものの、総合的には良好であった。
【００６２】
実施例９は、実施例５において、隣接する第１粘着部２０ａ同士及び第２粘着部２０ｂ同士の間隔を２５ｍｍに拡げたものであり、この場合も装着のしやすさで実施例５に劣るものの、総合的には良好であった。
【００６３】
実施例１０は、実施例９において、第２粘着部２０ｂ同士の間隔を３５ｍｍに拡げたものであり、ヨレ・ズレの点で実施例９に劣るものの、総合的には良好であった。
【００６４】
実施例１１、１２及び１６は、瓢箪状のシート本体１０に、第１粘着部２０ａ及び第２粘着部２０ｂをそれぞれ複数設けたものであり、装着のしやすさ及びヨレ・ズレの点から総合的に優れていた。
【００６５】
実施例１３は、第１粘着部２０ａ及び第２粘着部２０ｂを多数設けたものであり、実施例５と同様に、装着し易さと共に脱落防止の点で良好な効果が得られている。これに対し、実施例１３における第１粘着部２０ａ同士の隙間及び第２粘着部２０ｂ同士の隙間を粘着剤で埋めた構成に対応する比較例３においては、粘着剤層が大きくなりすぎて装着時に指が粘着剤に付着するのを避けられず、装着が非常に困難であった。
【００６６】
実施例１４は、外縁から第１粘着部及び第２粘着部までの最短距離を、それぞれ１ｍｍと短くしたものであり、剥離紙の剥離が困難になる等のため装着のしやすさで実施例５に劣るが、総合的には良好であった。
【００６７】
実施例１５は、外縁から第１粘着部及び第２粘着部までの最短距離を、それぞれ２０ｍｍと長くしたものであり、ヨレ・ズレや脱落が生じやすくなる点で実施例５に劣るものの、総合的には良好であった。
【００６８】
参考として、実施例１〜１８について、脱落しやすさの観点から官能評価を行ったところ（被験者及び評価方法は上記と同じ）、隣接する粘着部同士の最小間隔、袖側領域の外縁から第１粘着部までの最短距離、第１粘着部の面積を、それぞれ好ましい範囲に規定し、身頃側領域に第２粘着部を形成することで、脱落防止を確実にする効果が得られている。
【００６９】
実施例１は、各第１粘着部２０ａの面積が１５ｍｍ２であり、この場合にある程度の脱落防止の効果が得られているのに対し、第１粘着部２０ａの配置数が同じで面積が１０ｍｍ２である実施例１７は装着後に脱落しやすかった。
【００７０】
実施例４は、第２粘着部２０ｂを１つ設けることで、実施例２と比較すると、脱落防止の効果がより良好であった。
【００７１】
実施例５は、２つの第２粘着部２０ｂを設けたものであり、脱落防止の効果は実施例４よりも更に良好であった。
【００７２】
実施例６は、面積が１５ｍｍ２の第２粘着部２０ｂを多数設けることで、面積が小さいにも関らず、実施例４と同程度の脱落防止効果が得られた。
【００７３】
実施例８は、実施例５において、隣接する第１粘着部２０ａ同士及び第２粘着部２０ｂ同士の間隔を１ｍｍに狭めたものである。第１粘着部２０ａ同士及び第２粘着部２０ｂ同士の間隔を縮めることで、衣服が伸縮や変形した場合に、シート本体１０の非粘着部分が自由に変形しがたく、実施例５と比較すると脱落が生じやすかったが、総合的には良好であった。
【図面の簡単な説明】
【００７４】
【図１】本発明の一実施形態に係る脇用汗取りシートの裏面図である。
【図２】図１のＡ−Ａ断面図である。
【図３】実施例サンプルの各構成を示す裏面図である。
【図４】比較例サンプルの各構成を示す裏面図である。
【符号の説明】
【００７５】
１  汗取りシート
２  境界線
４  袖側領域
６  身頃側領域
１０  シート本体
１２  表面層
１４  裏面層
１６  吸収層
２０  粘着剤層
２０ａ  第１粘着部
２０ｂ  第２粘着部
【図１】
2007063717.tif 000005
【図２】
2007063717.tif 000006
【図３】
2007063717.tif 000007
【図４】
2007063717.tif 000008